(57)【特許請求の範囲】
【請求項１】
臼（１）に形成された上下方向の臼孔（２）に上杵（３）及び下杵（４）を嵌合挿入し、
上杵（３）の下端の押圧面（９ａ）と、下杵（４）の上端の押圧面（１１ａ）とによって臼孔（２）内の粉体（５）を押圧することにより錠剤（６）を圧縮成形する錠剤製造方法において、
上下の各押圧面（９ａ），（１１ａ）に一体的に連接される凹曲面状の成形溝（２ａ）が臼孔（２）の内周面に環状に形成されるとともに、該成形溝（２ａ）の底部を境に臼が上側の分割片（７）と下側の分割片（８）とに上下分割形成され、
上下の何れか一方側の杵（３），（４）である最終固定側杵を、押圧面（９ａ），（１１ａ）が成形溝（２ａ）に一体的に連接される圧縮成形位置に移動させて固定させた後、他方側の杵（３），（４）である最終圧縮側杵を圧縮成形位置に移動させることにより、側断面視円形、楕円形又は長円形をなす錠剤（６）を圧縮成形し、
成形溝（２ａ）に係止された圧縮成形後の錠剤（６）を上下の分割片（７），（８）を分離させることにより取出すにあたって、
前記最終圧縮側杵及び該最終圧縮側杵側の分割片（７），（８）である最終圧縮側分割片を同一速度で上記最終固定側杵側の分割片（７），（８）である最終固定側分割片から離間させる動作と、最終固定側杵を最終圧縮側杵側に移動させる動作とを同時に開始するにあたり、最終圧縮側杵及び最終圧縮側分割片の上記離間時の離間速度を最終固定側杵の上記移動時の移動速度よりも高速にすることにより、最終固定側分割片及び最終固定側杵から錠剤（６）を外し、
その後、最終圧縮側分割片から錠剤（６）を外す
ことを特徴とする錠剤製造方法。
【請求項２】
下杵（４）を最終圧縮側杵とし、下側の分割片（８）を最終圧縮側分割片とした
請求項１に記載の錠剤製造方法。
【請求項３】
臼（１）に形成された上下方向の臼孔（２）に上杵（３）及び下杵（４）を嵌合挿入し、
上杵（３）の下端の押圧面（９ａ）と、下杵（４）の上端の押圧面（１１ａ）とによって臼孔（２）内の粉体（５）を押圧することにより錠剤（６）を圧縮成形する錠剤製造方法において、
上下の各押圧面（９ａ），（１１ａ）に一体的に連接される凹曲面状の成形溝（２ａ）が臼孔（２）の内周面に環状に形成されるとともに、該成形溝（２ａ）の底部を境に臼が上側の分割片（７）と下側の分割片（８）とに上下分割形成され、
上下の何れか一方側の杵（３），（４）である最終固定側杵を、押圧面（９ａ），（１１ａ）が成形溝（２ａ）に一体的に連接される圧縮成形位置に移動させて固定させた後、他方側の杵（３），（４）である最終圧縮側杵を圧縮成形位置に移動させることにより、側断面視円形、楕円形又は長円形をなす錠剤（６）を圧縮成形し、
成形溝（２ａ）に係止された圧縮成形後の錠剤（６）を上下の分割片（７），（８）を分離させることにより取出すにあたって、
前記最終固定側杵側の分割片（７），（８）である最終固定側分割片を前記最終圧縮側杵側の分割片（７），（８）である最終圧縮側分割片から離間させる動作と、最終固定側杵を最終圧縮側杵から遠ざける側に移動させる動作とを同時に開始するにあたり、最終固定側分割片の上記離間時の離間速度よりも最終固定側杵の上記移動時の移動速度を低速にすることにより、最終固定側分割片及び最終固定側杵から錠剤（６）を外し、
その後、最終圧縮側分割片から錠剤（６）を外す
ことを特徴とする錠剤製造方法。
【請求項４】
上杵（３）を最終圧縮側杵とし、上側の分割片（７）を最終圧縮側分割片とした
請求項３に記載の錠剤製造方法。
【発明の詳細な説明】
【技術分野】
【０００１】
この発明は、打錠機等によって錠剤を圧縮成形する錠剤製造方法に関する。
【背景技術】
【０００２】
打錠機を用いて錠剤を圧縮成形するにあたり、臼に形成された上下方向の臼孔に上杵及び下杵を嵌合挿入し、上杵の下端の押圧面と、下杵の上端の押圧面とによって臼孔内の粉体を押圧することにより錠剤を圧縮成形する特許文献１に示す錠剤製造方法が公知になっている。
【０００３】
また、このようにして圧縮成形される錠剤内には応力が残存し、特に錠剤内の臼孔内周面側の応力は残留壁面応力と呼ばれる。この残留壁面応力等の応力は、上杵又は下杵を臼孔から抜取る抜圧工程や、その後に圧縮成形した錠剤を取出す放出工程の際、錠剤の表面が剥れるキャッピング等の打錠障害を引起す原因となることが知られており、このような不具合を防止するため、粉体の塑性変形が大きくなるように加工を施したり、摩擦係数を減少させるように加工を施したりする技術が非特許文献１に示されている。
【先行技術文献】
【特許文献】
【０００４】
【特許文献１】特開平７−８５４０号公報（第２−３図）
【非特許文献】
【０００５】
【非特許文献１】粉体工学会・製剤と粒子設計部会編「粉体の圧縮成形技術」日刊工業新聞社発行、１９９８年６月３０日、ｐ．７５−８１
【発明の概要】
【発明が解決しようとする課題】
【０００６】
上記特許文献１の錠剤製造方法では、水平な押圧面に対して臼孔が鉛直方向に形成されているため、臼孔周面と押圧面との接続端によって、圧縮成形される錠剤にエッジ（凹凸）が成形され、このエッジは比較的欠け易く、製品不良の原因になる場合がある他、このエッジを糖衣コーティングによって覆い隠した場合にはコーティング前の錠剤と比べて、コーティング後の錠剤が大きくなるという問題がある。
【０００７】
また、上記非特許文献１では、圧縮成形した錠剤への押圧解除手段や錠剤の臼孔からの取出手段によって、圧縮成形時に生じる錠剤内の臼孔内周側の応力である残留壁面応力による影響が変わるため、粉体の塑性変形率や臼孔の摩擦係数を変更したとしても、結局、上記押圧解除手段や、取出手段等をどのように構成するのかが、根本的な問題となる。
【０００８】
本発明は、臼に形成された上下方向の臼孔に上杵及び下杵を嵌合挿入し、上杵の下端の押圧面と、下杵の上端の押圧面とによって臼孔内の粉体を押圧することにより錠剤を圧縮成形するにあたり、錠剤表面へのエッジ形成を抑制するとともに、圧縮成形時に錠剤内に生じる応力による品質への影響を少なくした錠剤製造方法を提供することを課題とする。
【課題を解決するための手段】
【０００９】
本発明は、第１に、臼１に形成された上下方向の臼孔２に上杵３及び下杵４を嵌合挿入し、上杵３の下端の押圧面９ａと、下杵４の上端の押圧面１１ａとによって臼孔２内の粉体５を押圧することにより錠剤６を圧縮成形する錠剤製造方法において、上下の各押圧面９ａ，１１ａに一体的に連接される凹曲面状の成形溝２ａが臼孔２の内周面に環状に形成されるとともに、該成形溝２ａの底部を境に臼が上側の分割片７と下側の分割片８とに上下分割形成され、上下の何れか一方側の杵３，４である最終固定側杵を、押圧面９ａ，１１ａが成形溝２ａに一体的に連接される圧縮成形位置に移動させて固定させた後、他方側の杵３，４である最終圧縮側杵を圧縮成形位置に移動させることにより、側断面視円形、楕円形又は長円形をなす錠剤６を圧縮成形し、成形溝２ａに係止された圧縮成形後の錠剤６を上下の分割片７，８を分離させることにより取出すにあたって、前記最終圧縮側杵及び該最終圧縮側杵側の分割片７，８である最終圧縮側分割片を同一速度で上記最終固定側杵側の分割片７，８である最終固定側分割片から離間させる動作と、最終固定側杵を最終圧縮側杵側に移動させる動作とを同時に開始するにあたり、最終圧縮側杵及び最終圧縮側分割片の上記離間時の離間速度を最終固定側杵の上記移動時の移動速度よりも高速にすることにより、最終固定側分割片及び最終固定側杵から錠剤６を外し、その後、最終圧縮側分割片から錠剤６を外すことを特徴としている。
【００１０】
第２に、下杵４を最終圧縮側杵とし、下側の分割片８を最終圧縮側分割片としたことを特徴としている。
【００１１】
第３に、臼１に形成された上下方向の臼孔２に上杵３及び下杵４を嵌合挿入し、上杵３の下端の押圧面９ａと、下杵４の上端の押圧面１１ａとによって臼孔２内の粉体５を押圧することにより錠剤６を圧縮成形する錠剤製造方法において、上下の各押圧面９ａ，１１ａに一体的に連接される凹曲面状の成形溝２ａが臼孔２の内周面に環状に形成されるとともに、該成形溝２ａの底部を境に臼が上側の分割片７と下側の分割片８とに上下分割形成され、上下の何れか一方側の杵３，４である最終固定側杵を、押圧面９ａ，１１ａが成形溝２ａに一体的に連接される圧縮成形位置に移動させて固定させた後、他方側の杵３，４である最終圧縮側杵を圧縮成形位置に移動させることにより、側断面視円形、楕円形又は長円形をなす錠剤６を圧縮成形し、成形溝２ａに係止された圧縮成形後の錠剤６を上下の分割片７，８を分離させることにより取出すにあたって、前記最終固定側杵側の分割片７，８である最終固定側分割片を前記最終圧縮側杵側の分割片７，８である最終圧縮側分割片から離間させる動作と、最終固定側杵を最終圧縮側杵から遠ざける側に移動させる動作とを同時に開始するにあたり、最終固定側分割片の上記離間時の離間速度よりも最終固定側杵の上記移動時の移動速度を低速にすることにより、最終固定側分割片及び最終固定側杵から錠剤６を外し、その後、最終圧縮側分割片から錠剤６を外すことを特徴としている。
【００１２】
第４に、上杵３を最終圧縮側杵とし、上側の分割片７を最終圧縮側分割片としたことを特徴としている。
【発明の効果】
【００１３】
上記構成の本発明によれば、錠剤の圧縮成形時、臼孔の内周面に凹設された凹曲面状の成形溝と、上下の押圧面とが一体的に連接されて側断面視円形、楕円形又は長円形をなすため、圧縮成形時における錠剤表面へのエッジ形成を効率的に防止できる他、成形溝の底部を境に臼が上側の分割片と下側の分割片とに上下分割形成されることにより、臼孔の開放端側よりも径が大きくなって成形溝に係止された圧縮成形後の錠剤を、臼から取出すことが可能になる。
【００１４】
また、成形溝及び上下の分割片によって、上下の杵による錠剤への押圧解除や錠剤の臼孔から放出等が従来とは異なる工程を経るため、圧縮成形時に生じる錠剤内の応力に起因した特有の影響が予想されるが、成形溝に係止された圧縮成形後の錠剤を上下の分割片を分離させることにより取出すにあたって、最終固定側分割片から錠剤を外した後、該錠剤を最終固定側杵から外し、その後、最終圧縮側分割片から錠剤を外すことにより、錠剤内の圧縮成形時に生じる応力を効率的に開放させることができるため、圧縮成形時に生じる錠剤内の応力の影響を極力小さくすることが可能になる。
【００１５】
さらに、最終圧縮側杵及び最終圧縮側分割片を同一速度で最終固定側分割片から離間させる動作と、最終固定側杵を最終圧縮側杵側に移動させる動作とを同時に開始するにあたり、最終圧縮側杵及び最終圧縮側分割片の上記離間時の離間速度を最終固定側杵の上記移動時の移動速度よりも高速にすることにより、最終固定側分割片及び最終固定側杵から錠剤を外すか、又は、最終固定側分割片を最終圧縮側分割片から離間させる動作と、最終固定側杵を最終圧縮側杵から遠ざける側に移動させる動作とを同時に開始するにあたり、最終固定側分割片の上記離間時の離間速度よりも最終固定側杵の上記移動時の移動速度を低速にすることにより、最終固定側分割片及び最終固定側杵から錠剤を外せば、速度差を設けて２つの動作を同時に開始し、最終固定側分割片から外された錠剤を、その後速やかに、最終固定側杵から外すことが可能になるため、圧縮成形時に生じる錠剤内の応力をさらに効率的に開放可能になるため、より高品質な錠剤を製造可能になる。
【図面の簡単な説明】
【００１６】
【図１】（Ａ），（Ｂ）は、それぞれ錠剤製造装置の要部側面図及び要部平面図である。
【図２】（Ａ）は錠剤圧縮成形時における錠剤製造装置の要部側面図であり、（Ｂ）は上臼と下臼の分離時における錠剤製造装置の要部側面図である。
【図３】（Ａ），（Ｂ）は、それぞれ圧縮成形される錠剤の側面図及び平面図である。
【図４】本錠剤製造装置によって錠剤を製造する際の処理フロー図である。
【図５】（Ａ）乃至（Ｄ）は、それぞれ供給工程の構成を時系列的に示す側面図である。
【図６】（Ａ）乃至（Ｅ）は、それぞれ成形工程の構成を時系列的に示す側面図である。
【図７】（Ａ）乃至（Ｄ）は、それぞれ排出工程の構成を時系列的に示す側面図である。
【図８】（Ａ）乃至（Ｅ）は、それぞれ図７に示す排出工程の変形例の構成を時系列的に示す側面図である。
【図９】（Ａ）乃至（Ｅ）は、それぞれ成形工程の別実施形態の構成を時系列的に示す側面図である。
【図１０】（Ａ）乃至（Ｆ）は、それぞれ排出工程の別実施形態の構成を時系列的に示す側面図である。
【図１１】（Ａ）乃至（Ｆ）は、それぞれ、図１０に示す排出工程の変形例の構成を時系列的に示す側面図である。
【図１２】（Ａ）乃至（Ｅ）は、それぞれ成形工程の別実施形態の構成を時系列的に示す側面図である。
【図１３】（Ａ）乃至（Ｃ）は錠剤の他の形状を示す平面図であり、（Ｄ）及び（Ｅ）は、成形溝及び上下の押圧面の他の形状を示す打錠装置の要部側断面図である。
【図１４】（Ａ）は、図４乃至７に示す錠剤製造を行うにあたり、上杵、下杵及び下臼の位置関係を動作毎に示したタイミングチャート図であり、（Ｂ）は、図４乃至７に示す錠剤製造を行うにあたり、供給体の位置を動作毎に示したタイミングチャート図であり、（Ｃ）は、図４乃至７に示す錠剤製造を行うにあたり、排出体の位置を動作毎に示したタイミングチャート図である。
【図１５】（Ａ）は、図４乃至７に示す錠剤製造を行うにあたり、上杵、下杵及び下臼のそれぞれの位置及び速度を、動作毎に示した一覧表であり、（Ｂ）は、（Ａ）の錠剤製造において、離間速度及び移動速度を変化させた場合における錠厚、硬度、摩損度、状態観察の結果一覧表であり、（Ｃ）は比較実験を行った場合における錠厚、錠剤硬度、摩損度、摩損度試験後の状態観察の結果一覧表である。
【図１６】図９乃至１０に示す錠剤製造を行うにあたり、上杵、下杵及び下臼の位置関係を動作毎に示したタイミングチャート図である。
【図１７】（Ａ）は、図９乃至１０に示す錠剤製造を行うにあたり、上杵、下杵及び下臼のそれぞれの位置及び速度を、動作毎に示した一覧表であり、（Ｂ）は、（Ａ）の錠剤製造において、離間速度及び移動速度を変化させた場合における錠厚、硬度、摩損度、摩損度試験後の状態観察の結果覧表であり、（Ｃ）は比較実験を行った場合における錠厚、硬度、摩損度、摩損度試験後の状態観察の結果一覧表である。
【図１８】（Ａ）は、図１２に示す錠剤製造を行うにあたり、上杵、下杵及び下臼の位置関係を動作毎に示したタイミングチャート図であり、（Ｂ）は、（Ａ）に示す錠剤製造を行うにあたり、上杵、下杵及び下臼のそれぞれの位置及び速度を、動作毎に示した一覧表である。
【図１９】（Ａ）は、図７に示す排出工程及び図１８の錠剤製造において、離間速度及び移動速度を変化させた場合における錠厚、錠剤硬度、摩損度、摩損度試験後の状態観察の試験・測定結果を示した一覧表であり、（Ｂ）は、図１０に示す排出工程及び図１８の錠剤製造において、離間速度及び移動速度を変化させた場合における錠厚、錠剤硬度、摩損度、摩損度試験後の状態観察の試験・測定結果を示した一覧表であり、（Ｃ）は、比較実験を行った場合における錠厚、硬度、摩損度、摩損度試験後の状態観察の結果一覧表である。
【図２０】比較実験１において、離間速度及び移動速度を変化させた場合における錠厚、硬度、摩損度、摩損度試験後の状態観察の結果一覧表である。
【発明を実施するための形態】
【００１７】
図１（Ａ），（Ｂ）は、それぞれ錠剤製造装置の要部側面図及び要部平面図であり、図２（Ａ）は錠剤圧縮成形時における錠剤製造装置の要部側面図であり、（Ｂ）は上臼と下臼の分離時における錠剤製造装置の要部側面図であり、図３（Ａ），（Ｂ）は、それぞれ圧縮成形される錠剤の側面図及び平面図である。図示する錠剤製造装置は、打錠機の一種であって、水平な臼１と、臼１に穿設された鉛直方向の臼孔２と、臼孔２に挿脱自在に嵌合挿入される上下一対の杵３，４とを備えている。
【００１８】
この錠剤製造装置では、下側の杵である下杵４を上端（先端）側から臼孔２に挿入して臼孔２の下端を閉塞した状態で、臼孔２内に粉体５（図５乃至７参照）を充填供給した後、上側の杵である上杵３を下端（先端）側から臼孔２に挿入し、上下の杵３，４の先端側によって、臼孔２内に充填された粉体５を押圧し、錠剤６を圧縮成形する。
【００１９】
臼孔２は平面視円形をなし、この臼孔２の上下方向中央部には、凹曲面状の成形溝２ａが、周方向全体に亘り環状に凹設されている。この成形溝２ａは、平断面視円形リング状をなすとともに側断面視で臼孔２の径方向外側に向って凹状に窪み、この成形溝２ａの底部の径Ｒ１が、臼孔２の成形溝２ａ以外の部分の径Ｒ２よりも大きくなっている。
【００２０】
この臼１は、成形溝２ａの底を通過する水平な分割面Ｍを境に上下に分割形成されており、臼１の上側の分割片が上臼７となる一方で、下側の分割片が下臼８となる。この上臼７は本体１０側に固定され、下臼８は上下に移動駆動可能に支持されており、上臼７と下臼８の対向面同士の接触・非接触によって、上臼７と下臼８とを接合・分離させる。具体的には、下臼８の上端位置（下臼位置）Ｐ０と、固定された上臼の下端位置（接合位置）Ｘ０とが一致するように下臼８を上昇させると、上臼７と下臼８とが接合される。
【００２１】
上下の杵３，４の先端部９，１１の径は、杵３，４のその他の部分の径に比べて大きく且つ臼孔２の成形溝２ａ以外の径Ｒ２と略同一となるように形成され、各杵３，４を臼孔２に挿入すると、上記先端部９，１１の外周は臼孔２の内周に嵌合された状態になる。この上下一対の先端部９、１１の下端及び上端は、凹曲面状の押圧面９ａ，１１ａとなる。
【００２２】
錠剤６を圧縮成形する際には、上臼７と下臼８とを接合させ、上杵３の外周下端位置（上杵位置）Ｐ１が成形溝２ａの上端位置（上側圧縮成形位置，圧縮成形位置）Ｘ１と一致するまで、上杵３を臼孔２に押圧挿入するとともに、下杵４の外周上端位置（下杵位置）Ｐ２が成形溝２ａの下端位置（下側圧縮成形位置，圧縮成形位置）Ｘ２と一致するまで、下杵４を臼孔２に押圧挿入すると、成形溝２ａ及び上下の押圧面９ａ，１１ａが一体的に滑らかに連接され、側断面視円形、楕円状又は長円形（図示する例では楕円形）をなし、同形状の錠剤６が圧縮成形される（図２（Ａ）参照）。
【００２３】
このようにして圧縮成形される錠剤６は、平面視で成形溝２ａの径Ｒ１と略同一径の円形をなすとともに、側面視楕円形をなす形状に成形されている。この錠剤６の径Ｒ１が臼孔２の成形溝２ａ以外の部分の径Ｒ２よりも大きいため、この錠剤６は成形溝２ａによって係止される。この係止された錠剤６は、接合されている上臼７と下臼８とを分離させ、該錠剤６の上方側を開放することにより取出可能になる。
【００２４】
次に、図４乃至７に基づいて本錠剤製造装置を用いた錠剤製造方法について詳述する。
図４は、本錠剤製造装置によって錠剤を製造する際の処理フロー図である。同図に示す錠剤製造方法は、粉体５を臼孔２に供給する供給工程Ｓ１０と、臼孔２に供給された粉体５から錠剤６を圧縮成形する成形工程Ｓ２０と、圧縮成形された錠剤６を排出する排出工程Ｓ３０と、後処理を行う後処理工程Ｓ４０とを有している。
【００２５】
図５（Ａ）乃至（Ｄ）は、それぞれ供給工程の構成を時系列的に示す側面図である。同図及び図４に示す通り、上述の供給工程Ｓ１０は、臼孔２に粉体５を供給する供給処理Ｓ１１と、供給処理の後、臼孔２内の粉体５の量を調整する調整処理Ｓ１２と、調整処理の後、臼孔２内から押出された粉体５を上臼７の上面に沿って擦切る擦切処理Ｓ１３と、を有している。
【００２６】
上記供給処理Ｓ１１によって錠剤６の製造が開始されるが、この開始時、下臼８（下臼位置Ｐ０）が接合位置Ｘ０に位置して上臼７と接合し、上杵３（上杵位置Ｐ１）が上臼７上方の最上方位置（初期位置）に位置し、下杵４（下杵位置Ｐ２）が臼孔２内の成形溝２ａ上方側（初期位置）に位置し、この状態から、充填フィーダと呼ばれる供給体１２を後進端から前進端まで前進移動させることにより、粉体５を押出して、臼孔２内に粉体５を落下供給させる。この粉体５の落下供給の際、下杵４が受止位置まで下降され、粉体５がスムーズに臼孔２内に導入される。（図５（Ａ）及び（Ｂ）参照）。
【００２７】
上記調整処理Ｓ１２では、下杵４が臼孔２内における成形溝２ａの上方側（調整位置）に位置するように下杵４が上昇し、臼孔２の上方に粉体５が押出され、錠剤成形に必要な量の粉体５のみが臼孔２内に存在した状態になる（同図（Ｂ）及び（Ｃ）参照）。
【００２８】
上記擦切処理Ｓ１３では、供給体１２を前進端から後進端まで後進移動させることにより、臼孔２から押出された分の粉体５を擦切り、錠剤６の成形に必要な分量の粉体５のみが臼１に残る状態とする（同図（Ｃ）及び（Ｄ））。
【００２９】
図６（Ａ）乃至（Ｅ）は、それぞれ成形工程の構成を時系列的に示す側面図である。同図及び図４に示す通り、上述の成形工程Ｓ２０は、圧縮成形前の準備を行う予備処理Ｓ２１と、予備処理Ｓ２１後に錠剤６の圧縮成形を行う圧縮処理Ｓ２２とを有している。
【００３０】
上記予備処理Ｓ２１では、下杵４が臼孔２内における成形溝２ａの下方側（準備位置）に位置するように下杵４を下降させ、粉体５の上端の粉面を上臼７の上面よりも下方側に位置させる（図６（Ａ）及び（Ｂ）参照）。その後、上杵３が臼孔２内の上端部（閉塞位置）に位置するように上杵３を下降させ、臼孔２の上方を閉塞する（同図（Ｂ）及び（Ｃ）参照）。
【００３１】
続いて、上杵３を上側圧縮成形位置Ｘ１まで下降させるとともに、下杵４が臼孔２内における成形溝２ａ下方近傍位置（予備圧位置）に位置するように下杵４を上昇させ、臼孔２における上下の押圧面９ａ，１１ａの間を粉体５で満たした状態にする（同図（Ｃ）及び（Ｄ）参照）。
【００３２】
上記圧縮処理Ｓ２２では、移動駆動を停止させて位置決め停止状態とすることにより上杵３を臼１に対して固定又は略固定状態とし、下杵４を下側圧縮成形位置Ｘ２まで押圧上昇させ、錠剤６を圧縮成形する（同図（Ｄ）及び（Ｅ）参照）。すなわち、本例では、上杵３が錠剤６の圧縮成形時に固定又は略固定されて下杵４側から押圧される最終固定側杵（最終被押圧側杵）となり、下杵４が錠剤６の圧縮成形時に粉体５に圧力（本圧）を付加する最終圧縮側杵になり、上臼７が最終固定側杵側の最終固定側分割片（被押圧側分割片）となり、下臼８が最終圧縮側杵側の最終圧縮側分割片になる。
【００３３】
図７（Ａ）乃至（Ｄ）は、それぞれ排出工程の構成を時系列的に示す側面図である。同図及び図４に示す通り、上述の排出工程Ｓ３０は、成形溝２ａの上側半部をなす上臼７の上側曲面７ａから錠剤６を外すとともに、成形溝２ａの下側半部をなす下臼８の下側曲面８ａから錠剤６を外す他、上下の杵３，４の少なくとも上杵３の押圧面９ａから錠剤６を外す外し処理Ｓ３１と、外し処理Ｓ３１後に下杵４の押圧面１１ａ上の錠剤６を排出する排出処理Ｓ３２とを有している。
【００３４】
上記外し処理Ｓ３１では、まず、下杵４及び下臼８が上臼７から離間するように下降させる動作と、下杵４側に移動するように上杵３を下降させる動作を同時に開始する（図７（Ａ）及び（Ｂ）参照）。この際、下杵４及び下臼８の上臼７からの離間速度Ｖ１及び上杵３の下杵４側への移動速度Ｖ２は略一定であって、離間速度Ｖ１よりも移動速度Ｖ２が低速に設定されている。
【００３５】
この上杵３の下降により、上臼７に対して上杵３が下杵４側にずれるため、上臼７の上側曲面７ａから錠剤６が外れるとともに、離間速度Ｖ１より移動速度Ｖ２が低速であるため、上杵３と下杵４との距離が広がって、上杵３の押圧面９ａから錠剤６が外れる。
【００３６】
すなわち、離間速度Ｖ１と移動速度Ｖ２に速度差を設けることにより、上杵３と下杵４と下臼８の同時下降という１つの動作によって、上臼７の上側曲面７ａからの錠剤６の外しと、上杵３の押圧面９ａからの錠剤６の外しとを殆ど時間差無く速やかに行う。
【００３７】
続いて、下杵４が下杵最下降位置（排出位置）に位置するように、下杵４及び下臼８を同一速度で一体的に下降させるとともに、上杵３が臼孔２の上端（退避位置）に位置するように、上杵３を上昇させる（同図（Ｂ）及び（Ｃ）参照）。その後、下臼８のみ下臼最下降位置（排出位置）Ｂ０（図７参照）に下降させる（同図（Ｃ）及び（Ｄ）参照）。この際、下臼８に対して下杵４が上杵３側にずれるため、下臼８の下側曲面８ａから錠剤６が外れる。
【００３８】
上記排出処理Ｓ３２は、排出ダンパーとよばれ且つスクレーパとして機能する排出体１３を、後退端から前進端まで前進駆動させ、下杵４の押圧面１１ａ上の錠剤６を掻き取って排出し、その後、該排出体１３を後進端まで後進駆動させる（同図（Ｄ）参照）。
【００３９】
図４に示す通り、上述の後処理工程Ｓ４０は、上下の杵３，４及び下臼８をそれぞれ初期位置に移動させる後処理Ｓ４１を行い、処理を終了させる。
【００４０】
以上のように構成される本錠剤製造方法によれば、最終圧縮側杵４及び最終圧縮側分割片８と反対側の最終固定側杵３及び最終固定側分割片７から錠剤６を外し、続いて、最終圧縮側分割片８から錠剤６を取外すため、圧縮成形時に生じる錠剤６内の応力が効率的に開放されるため、高品質な錠剤６を製造することが可能になる。
【００４１】
特に、上述したように、最終固定側杵３からの錠剤６の取外しと、最終固定側分割片７からの錠剤６の取外しは、略同一のタイミングで行われるため、圧縮成形時に錠剤６の成形溝２ａ側に生じる残留壁面応力の影響を極力小さくして、錠剤６を臼１から取外すことが可能になる。
【００４２】
図８（Ａ）乃至（Ｅ）は、それぞれ図７に示す排出工程の変形例の構成を時系列的に示す側面図である。同図に示す排出工程Ｓ３０では、外し処理Ｓ３１において、上臼７及び上杵３から錠剤６を外すために、下杵４及び下臼８の下降動作と、上杵３の下降動作とを同時に開始する際、上記離間速度Ｖ１と移動速度Ｖ２を同一に設定し、まず、上臼７から錠剤６を外し（同図（Ａ）及び（Ｂ）参照）、その後、下杵４及び下臼８のみを同一速度で上杵３から離間させることにより、上杵３と下杵４との距離が広がるため、上杵３から錠剤６が外される（同図（Ｂ）及び（Ｃ）参照）。すなわち、上臼７から錠剤６を外す処理と、上杵３から錠剤６を外す処理とを別動作に行う。ちなみに、その他の動作は、図７と同一である。
【００４３】
次に、図９及び１０に基づき、錠剤製造方法の別実施形態について上述の例と異なる点を説明する。
図９（Ａ）乃至（Ｅ）は、それぞれ成形工程の別実施形態の構成を時系列的に示す側面図である。同図に示す成形工程Ｓ２０では、上杵３を閉塞位置に下降させ、臼孔２の上方を閉塞してから後の手順が、図６に示す手順とは異なる。具体的には、その後、下杵４を下側圧縮成形位置Ｘ２まで上昇させるとともに、上杵３が臼孔２内における成形溝２ａ上方近傍位置（予備圧位置）に位置するように上杵３を下降させ、臼孔２における上下の押圧面９ａ，１１ａの間を粉体５で満たした状態にする（同図（Ｃ）及び（Ｄ）参照）。
【００４４】
圧縮処理Ｓ２２では、移動駆動を停止させて位置決め停止状態とすることにより下杵４を臼１に対して固定又は略固定とし、上杵３を上側圧縮成形位置Ｘ１まで押圧下降させ、錠剤６を圧縮成形する（同図（Ｄ）及び（Ｅ）参照）。すなわち、本例では、下杵４が錠剤６の圧縮成形時に固定又は略固定されて上杵３側から押圧される最終固定側杵（最終被押圧側杵）となり、上杵３が錠剤６の圧縮成形時に粉体５に圧力（本圧）を付加する最終圧縮側杵になり、下臼８が最終固定側杵側の最終固定側分割片（最終被押圧側分割片）となり、上臼７が最終圧縮側杵側の最終圧縮側分割片になる。
【００４５】
図１０（Ａ）乃至（Ｆ）は、それぞれ排出工程の別実施形態の構成を時系列的に示す側面図である。同図に示す排出工程Ｓ３０では、図７及び８に示す例とは、外し処理の内容が異なり、この排出工程Ｓ３０は、成形溝２ａの下側半部をなす下臼８の下側曲面８ａから錠剤６を外すとともに、成形溝２ａの上側半部をなす上臼７の上側曲面７ａから錠剤６を外す他、上下の杵３，４の各押圧面９ａ，１１ａから錠剤６を外す外し処理Ｓ３１を行い、その後の処理は図７と同様である。
【００４６】
本例の外し処理Ｓ３１では、まず、下臼８を上臼７から離間するように下降させる動作と、下杵４を上杵３から遠ざける側に下降させる動作を同時に開始する（図１０（Ａ）及び（Ｂ）参照）。この際、下臼８の上臼７からの離間速度Ｖ３及び下杵４の上杵３から遠ざかる側への移動速度Ｖ４は略一定であって、離間速度Ｖ３よりも移動速度Ｖ４が低速に設定されている。
【００４７】
このように離間速度Ｖ３よりも移動速度Ｖ４が低速なので、下臼８に対して下杵４が上杵３側にずれて、下臼８の下側曲面８ａから錠剤６が外れるとともに、この下杵４の下降により、上杵３と下杵４との間の距離が長くなり、下杵４の押圧面１１ａから錠剤６が外れる。すなわち、離間速度Ｖ３と移動速度Ｖ４に速度差を設けることにより、下杵４と下臼８の同時下降という１つの動作によって、下臼８の下側曲面８ａからの錠剤６の外しと、下杵４の押圧面１１ａからの錠剤６の外しとを殆ど時間差無く速やかに行う。
【００４８】
続いて、上杵３を、上側圧縮成形位置Ｘ１の下方近傍（押出位置）に位置させ、上臼７に対して上杵３を下杵４側にずらし、上臼７の上側曲面７ａから錠剤６を外し、錠剤６を下杵４の押圧面１１ａ上に落下させる（同図（Ｃ）及び（Ｄ）参照）。
【００４９】
続いて、下杵４が排出位置に位置するように、下杵４及び下臼８を同一速度で一体的に下降させるとともに、上杵３を退避位置まで上昇させ（同図（Ｄ）及び（Ｅ）参照）、その後、図７及び８に示す例と同様に、下臼８を排出位置Ｂ０に下降させ（同図（Ｅ）及び（Ｆ）参照）、それ以降、同様の処理を行う。
【００５０】
図１１（Ａ）乃至（Ｆ）は、それぞれ、図１０に示す排出工程の変形例の構成を時系列的に示す側面図である。同図に示す同図に示す排出工程Ｓ３０では、外し処理Ｓ３１において、下臼８及び下杵４から錠剤６を外すために、まず下臼８の下降動作のみを行って下臼８から錠剤６を外し（同図（Ａ）及び（Ｂ）参照）、その後、下杵４のみを上杵３から離間させることにより、上杵３と下杵４との距離を広げ、下杆４から錠剤６を外す（同図（Ｂ）及び（Ｃ）参照）。すなわち、下臼８から錠剤６を外す処理と、下杵４から錠剤６を外す処理とを別動作に行う。ちなみに、その他の動作は、図１０と同一である。
【００５１】
次に、図１２に基づき、錠剤製造方法の別実施形態について上述の例と異なる点を説明する。
図１２（Ａ）乃至（Ｅ）は、それぞれ成形工程の別実施形態の構成を時系列的に示す側面図である。同図に示す成形工程Ｓ２０では、上杵３を閉塞位置に下降させ、臼孔２の上方を閉塞してから後の処理が、図６に示す工程とは異なる。具体的には、その後、上杵３を成形溝２ａ上方近傍の前記予備圧位置に下降させるとともに、下杵４を成形溝２ａ下方近傍の前記予備圧位置に上昇させ、臼孔２における上下の押圧面９ａ，１１ａの間を粉体５で満たした状態にする（同図（Ｃ）及び（Ｄ）参照）。この際、上側の予備圧位置と上側圧縮成形位置Ｘ１との間の距離と、下側の予備圧位置と下側圧縮成形位置Ｘ２との間の距離とは略同一となる。
【００５２】
圧縮処理Ｓ２２では、上杵３の上側圧縮成形位置Ｘ１への押圧下降と、下杵４の上側圧縮成形位置Ｘ２への押圧上昇とを同時に同一速度で開始し、上下の杵３，４によって、錠剤６を圧縮成形する（同図（Ｄ）及び（Ｅ）参照）。すなわち、本例では、上杵３及び下杵４の両方が錠剤６の圧縮成形時に粉体５に圧力（本圧）を付加する最終圧縮側杵になり、上臼７及び下臼８の両方が最終圧縮側分割片になる。
【００５３】
また、排出工程Ｓ３０は、図７の示すもの、図８に示すもの、図１０に示すもの、又は、図１１に示すものの何れか一を用いる。
【００５４】
次に、図１３に基づき、錠剤製造装置の別実施形態について説明する。
図１３（Ａ）乃至（Ｃ）は錠剤の他の形状を示す平面図であり、（Ｄ）及び（Ｅ）は、成形溝及び上下の押圧面の他の形状を示す打錠装置の要部側断面図である。上述の例では、錠剤６を平面視円形状に成形する例につき説明したが、臼孔２及び成形溝２ａを平面視楕円形に成形することにより、錠剤６を平面視楕円形状になるように圧縮成形してもよいし（同図（Ａ）参照）、臼孔２及び成形溝２ａを平面視長円形（角丸長方形）に成形することにより、錠剤６を平面視長円形になるように圧縮成形してもよいし（同図（Ｂ）参照）、臼孔２及び成形溝２ａを平面視丸みを帯びた三角形状（おむすび形状）に成形することにより、錠剤６を平面視おむすび形状をなすように圧縮成形してもよい（同図（Ｃ）参照）。
【００５５】
また、錠剤６の圧縮成形完了時に一体的に連結される成形溝２ａ及び一対の押圧面９ａ，１１ａが、前述したような側面視楕円形状では無く側面視円形状になるように、成形溝２ａ及び押圧面９ａ，１１ａの曲率を変形してもよし（同図（Ｄ）参照）、錠剤６の圧縮成形完了時に一体的に連結される成形溝２ａ及び一対の押圧面９ａ，１１ａが、側面視長円形になるように、成形溝２ａの曲率を変形するとともに、押圧面９ａ，１１ａをフラットに成形してもよい（同図（Ｅ）参照）。
【実施例１】
【００５６】
図４乃至７に示す錠剤製造方法の具体的な実施例について図１４及び１５に基づいて以下に説明する。
最初に粉体５を生産し、この生産された粉体５を用いて図４乃至７に示す錠剤製造方法によって錠剤６を製造し、この製造された錠剤６の錠厚計測、硬度試験及び摩損度試験を行って、該錠剤製造方法の評価を行った。
【００５７】
まず、粉体５の生産について説明すると、有効成分であるアセトアミノフェン４９５０ｇと、賦形剤である乳糖３３１０ｇと、同じく賦形剤である結晶セルロース３１５０ｇと、原料の粒子同士を結びつけるために用いる結合剤であるヒドロキシプロピルセルロース９００ｇとを、それぞれ秤量（正確に計測）し、ポリエチ袋で混合した後、粉砕機（ヤリヤ機械製作所社製のヤリヤ粉砕機  Ｎｏ．１）を用いてスクリーンサイズ０．７ｍｍで粉砕した。この粉砕物を３分割し、この分割物４０００ｇを造粒機（パウレック社製のバーチカルグラニュレータ  ＦＭ−ＶＧ−２５）に投入するとともに、精製水７２０ｇを添加して造粒を行った。
【００５８】
続いて、得られた造粒物を乾燥機（パウレック社製の流動造粒乾燥機  ＦＤ−３Ｓ）で乾燥し、この乾燥物を２２メッシュの篩によって分級し、篩を通過した篩通過物と、篩に残った残留物である篩残とに分けた。残りの粉砕物においても同様の処理を行うとともに、篩に残った残留物である篩残は、粉砕機（岡田精工社製のニュースピードミル  ＮＤ−１０Ｓ）を用いてスクリーンサイズ１．０ｍｍで粉砕し、上記篩通過物と混合して造粒物とした。この造粒物１１６８０ｇと、粒状物の流動性をよくし圧縮成形を容易にするために添加する滑沢剤であるステアリン酸マグネシウム６４ｇとを混合機（徳寿工作所社製のＶ型混合機  Ｖ−６０）に投入して５分間混合し、この混合物を打錠用顆粒（粉体５）とした。
【００５９】
ちなみに、該粉体５を２９０ｍｇ用いて錠剤６を圧縮成形するが、この２９０ｍｇの粉体５中には、アセトアミノフェン１１６ｍｇと、乳糖７７．５ｍｇと、結晶セルロース７３．８ｍｇと、ヒドロキシプロピルセルロース２１．１ｍｇと、ステアリン酸マグネシウム１．６ｍｇが含有された状態になる。
【００６０】
このようにして生産される粉体５によって図３に示す錠剤６を圧縮成形するにあたり、錠剤６の径（錠剤６の平面視形状である円の直径）Ｒ１は９ｍｍに設定され、錠厚（錠剤６の側面視における最大上下厚）ｄ（図３参照）は４．７〜４．９ｍｍに設定される。ちなみに、上下の圧縮成形位置Ｘ１，Ｘ２は不変であるが、上述の離間速度Ｖ１，Ｖ３や移動速度Ｖ２，Ｖ４を後述するように変化させるので、錠剤６を取出す際の膨張率が変化し、錠圧ｄは完全に一定にはならない。
【００６１】
続いて、錠厚計測、硬度試験及び摩損度試験について説明すると、錠厚ｄの計測は、マイクロメータ（ミツトヨ社製のクリックマイクロ  ＭＤＱ−３０Ｍ）によって行った。
【００６２】
硬度試験は、錠剤６を厚み方向と直交する方向から挟持する一対の挟持体を備えた錠剤硬度計（シュロイニゲル社製のシュロイニゲル錠剤硬度計  ８Ｍ）を用い、この錠剤硬度計によって、錠剤６が破壊されるまで挟持体の挟持力を徐々に強め、錠剤６が破壊された際の該挟持力に基づいて、その錠剤６の硬度（単位はｋｇｆ）を測定するものであり、詳しくは、日本薬局方に定められている。
【００６３】
摩損度試験は、三薬局方で規定された試験法であって（日本薬局方解説書編集委員会で編集されて平成１８年６月２０日に初版が株式会社廣川書店発行から発行された題号「第十五改正  日本薬局方解説書」の文献のＦ−１３１〜１３４を参照）、錠剤６の縁が衝撃によって摩損する性質を測定するものであって、本例では、摩損度試験器（ジャパンマシナリー社製の摩損度試験器  ＰＴＦ３０ＥＲＡ）を用いてこの試験を行った。
【００６４】
簡単に説明すると、定められた所定径を有する横方向の円筒状をなす樹脂製のドラムを軸回りに回転駆動可能に支持し、該ドラム内に、圧縮成形した２３錠の錠剤６を導入し、この状態で、定められた所定回転数でドラムを回転駆動させ、ドラム中で一体回転するドラム径方向の中板によって錠剤６を繰り返し落下させ、所定時間経過後、ドラム中から錠剤６を取出し、欠けた箇所を取り除いて、試験前の総重量から試験後の総重量を減算した差分量を、試験前の総重量で除算した値を摩損度（単位は％）とし、この摩損度が零に近い程、良好な結果であることを意味する。ちなみに、本例では、摩損試験後の錠剤６の状態観察も行う。
【００６５】
次に、錠剤製造方法について説明すると、上述の粉体５を用いて、錠剤６を圧縮成形するにあたり、上下の杵３，４の先端部９，１１の直径（＝臼孔２の成形溝２ａ以外の部分の径）Ｒ２を７ｍｍに設定する。
【００６６】
図１４（Ａ）は、図４乃至７に示す錠剤製造を行うにあたり、上杵、下杵及び下臼の位置関係を動作毎に示したタイミングチャート図であり、（Ｂ）は、図４乃至７に示す錠剤製造を行うにあたり、供給体の位置を動作毎に示したタイミングチャート図であり、（Ｃ）は、図４乃至７に示す錠剤製造を行うにあたり、排出体の位置を動作毎に示したタイミングチャート図であり、図１５（Ａ）は、図４乃至７に示す錠剤製造を行うにあたり、上杵、下杵及び下臼のそれぞれの位置及び速度を、動作毎に示した一覧表であり、（Ｂ）は、（Ａ）の錠剤製造において、離間速度及び移動速度を変化させた場合における錠厚、硬度、摩損度、状態観察の結果一覧表であり、（Ｃ）は比較実験を行った場合における錠厚、錠剤硬度、摩損度、摩損度試験後の状態観察の結果一覧表である。
【００６７】
これらの図において、上杵位置Ｐ１、下杵位置Ｐ２は、上臼７の上端位置を基準位置Ｂ１２（図１（Ａ）参照）とした場合における、該基準位置Ｂ１２からの高さであり、基準位置Ｂ１２よりも下側にある場合にはこれらの値はマイナスになり、上側にある場合にはこれらの値はプラスになる一方で、下臼位置Ｐ０は、排出位置Ｂ０からの高さを表す他、下臼８、上杵３及び下杵４の速度は、上昇や下降に関係なく、速さのみで示されている。ちなみに、排出位置Ｂ０は基準位置Ｂ０から５７．７ｍｍ下がった箇所に位置している。
【００６８】
このようにして、図４乃至７に示された手順より各部を図１４及び図１５（Ａ）に示すように動作させ、実験を行った結果、図１５（Ｂ）に示すように、離間速度Ｖ１及び移動速度Ｖ２をどのように設定した場合でも、摩損度が略０％又はそれに近い値であり、錠厚ｄ及び硬度も略一定で、各錠剤６に欠け等も見当らなかった。
【００６９】
一方、図１５（Ｃ）に示す比較実験では、図８に示す変形例により、錠剤製造を行った。同図（Ｃ）の一覧表のインターバルの欄の記載は、上杵３、下杵４及び下臼８の同一速度での下降動作（前ステップ）の完了から、下杵４及び下臼８の同一速度での下降動作（後ステップ）の開始までの時間を示しており（図８（Ａ）及び（Ｂ）参照）、前ステップ時の上杵３、下杵４及び下臼８の下降速度及び下降量と、後ステップ時の下杵４及び下臼８の下降速度及び下降量とは、それぞれ同一であって、インターバルが０．５秒の場合には下降速度が１ｍｍ／秒、下降量が０．５ｍｍ（すなわち、下杵４及び下臼８は前ステップと後ステップを合計して計１ｍｍ下降）にそれぞれ設定され、インターバルが０．１秒の場合には下降速度が５ｍｍ／秒、下降量が０．５ｍｍにそれぞれ設定され、インターバルが０．０５秒の場合には下降速度が１０ｍｍ／秒、下降量が０．５ｍｍにそれぞれ設定され、インターバルが０．０２５秒の場合には下降速度が２０ｍｍ／秒、下降量が０．５ｍｍにそれぞれ設定され、インターバルが０．０１秒の場合には下降速度が５０ｍｍ／秒、下降量が０．５ｍｍにそれぞれ設定され、インターバルが０．００５秒の場合には下降速度が１００ｍｍ／秒、下降量が０．５ｍｍにそれぞれ設定され、その他の上下の杵３，４及び下臼８の動作は、図１４及び図１５（Ａ）に示す動作と同様である。
【００７０】
この比較実験によれば、摩損度が上述の結果より高くなっており、摩損度試験後、半数程度の錠剤６において上臼７側面に欠けが見られるが、硬度は略一定であって、錠剤６がある程度の品質で圧縮成形されている。
【実施例２】
【００７１】
図９及び１０に示す錠剤製造方法の具体的な実施例について図１６及び１７に基づいて以下に説明するが、粉体５の生産と、成形する錠剤６の大きさ（径Ｒ１と錠厚ｄ）と、錠剤６の評価と、供給体１２及び排出体１３の動作タイミングは上述の実施例１と同一とする。
【００７２】
図１６は、図９乃至１０に示す錠剤製造を行うにあたり、上杵、下杵及び下臼の位置関係を動作毎に示したタイミングチャート図であり、図１７（Ａ）は、図９乃至１０に示す錠剤製造を行うにあたり、上杵、下杵及び下臼のそれぞれの位置及び速度を、動作毎に示した一覧表であり、（Ｂ）は、（Ａ）の錠剤製造において、離間速度及び移動速度を変化させた場合における錠厚、硬度、摩損度、摩損度試験後の状態観察の結果覧表であり、（Ｃ）は比較実験を行った場合における錠厚、硬度、摩損度、摩損度試験後の状態観察の結果一覧表である。
【００７３】
このようにして、図９及び１０に示された手順より各部を図１６及び図１７（Ａ）に示すように動作させ、実験を行った結果、図１７（Ｂ）に示すように、離間速度Ｖ３及び移動速度Ｖ４を変化させた場合、摩損度が０．１２〜１．５４％の幅広い範囲で変化し、両面側又は下臼側が欠けている錠剤６の数も、５〜２３錠と幅広い数値を示しているが、錠剤６の圧縮成形には一応成功している。
【００７４】
一方、図１７（Ｃ）に示す比較実験では、図１１に示す変形例により、錠剤製造を行った。同図（Ｃ）の一覧表のインターバルの欄の記載は、下臼８の下降動作（前ステップ）の完了から、下杵４の下降動作（後ステップ）の開始までの時間を示しており（図１１（Ａ）乃至（Ｃ）参照）、前ステップ時の下臼８の下降速度及び下降量と、後ステップ時の下杵４の下降速度及び下降量とは、それぞれ同一であって、インターバルが０．５秒の場合には下降速度が１ｍｍ／秒、下降量が０．５ｍｍにそれぞれ設定され、インターバルが０．１秒の場合には下降速度が５ｍｍ／秒、下降量が０．５ｍｍにそれぞれ設定され、インターバルが０．０５秒の場合には下降速度が１０ｍｍ／秒、下降量が０．５ｍｍにそれぞれ設定され、インターバルが０．０２５秒の場合には下降速度が２０ｍｍ／秒、下降量が０．５ｍｍにそれぞれ設定され、インターバルが０．０１秒の場合には下降速度が５０ｍｍ／秒、下降量が０．５ｍｍにそれぞれ設定され、インターバルが０．００５秒の場合には下降速度が１００ｍｍ／秒、下降量が０．５ｍｍにそれぞれ設定され、その他の上下の杵３，４及び下臼８の動作は、図１６及び図１７（Ａ）に示す動作と同様である。
【００７５】
この比較実験によれば、摩損度は低い値に抑えられているが、インターバルが長い場合（同表では０．５秒）では、錠剤６の成形ができない場合があった。
【実施例３】
【００７６】
図１２に示す錠剤製造方法に具体的な実施例について図１８及び１９に基づいて以下に説明するが、粉体５の生産と、成形する錠剤６の大きさ（径Ｒ１と錠厚ｄ）と、錠剤６の評価と、供給体１２及び排出体１３の動作タイミングと、供給工程Ｓ１０及び後処理工程Ｓ４０とは、上述の実施例１及び２と同一とする。
【００７７】
図１８（Ａ）は、図１２に示す錠剤製造を行うにあたり、上杵、下杵及び下臼の位置関係を動作毎に示したタイミングチャート図であり、（Ａ）に示す錠剤製造を行うにあたり、上杵、下杵及び下臼のそれぞれの位置及び速度を、動作毎に示した一覧表である。この錠剤製造方法では、排出工程Ｓ３０において、図７に示す手順（具体的には、図１４（Ａ）のステップ１３〜１７の手順であって、ステップ１３の際の上杵位置Ｐ１を−１６．８ｍｍとし、その他は同様とする手順）と、図１０に示す手順（具体的には、図１６のステップ１３〜１７の手順であって、ステップ１３の際の上杵位置Ｐ１を−１４．８ｍｍとし、その他は同様とする手順）とを行った。
【００７８】
図１９（Ａ）は、図７に示す排出工程及び図１８の錠剤製造において、離間速度及び移動速度を変化させた場合における錠厚、錠剤硬度、摩損度、摩損度試験後の状態観察の試験・測定結果を示した一覧表であり、（Ｂ）は、図１０に示す排出工程及び図１８の錠剤製造において、離間速度及び移動速度を変化させた場合における錠厚、錠剤硬度、摩損度、摩損度試験後の状態観察の試験・測定結果を示した一覧表であり、（Ｃ）は、比較実験を行った場合における錠厚、硬度、摩損度、摩損度試験後の状態観察の結果一覧表である。
【００７９】
同図（Ａ）に示す実験結果では、離間速度Ｖ１及び移動速度Ｖ２の変化に応じて、摩損度が０．００〜１．１３％の間の広い範囲で変動し、両面側又は下臼側が欠けている錠剤数も、０〜２３錠の間の広い範囲で変動し、硬度や錠圧ｄも上述した例に比べて広い範囲で変動しており、離間速度Ｖ３と移動速度Ｖ４の組合せによっては、錠剤６が圧縮成形できない場合があった。
【００８０】
同図（Ｂ）に示す実験結果では、同図（Ａ）と同じような傾向の結果が得られ、離間速度Ｖ３と移動速度Ｖ４の組合せによっては、錠剤６が圧縮成形できない場合があった。
【００８１】
一方、同図（Ｃ）に示す比較実験では、（Ａ）の実験において、下杵４及び下臼８の移動速度Ｖ２を変化させる場合には、下杵４と下臼８をそれぞれ異なる値に設定した。その結果、摩損度も低く、上臼７側に欠け等があった錠剤６が数錠見つけられた程度で、概ね良好な結果が得られた。
【実施例４】
【００８２】
実施例１乃至３の結果と比較するために、図６に示す成形工程Ｓ２０（具体的には、図１５（Ａ）のステップ７〜１２と同一の手順）と、図１０に示す排出工程Ｓ３０（具体的には、図１７（Ａ）のステップ１３〜１７の手順であって、ステップ１３の際の上杵位置Ｐ１を−１４．７ｍｍとし、その他は同様とする手順）とを組合せて、錠剤製造を行う実験を比較実験１とし、図６に示す成形工程Ｓ２０と、図１１に示す排出工程Ｓ３０（具体的には、実施例２の比較実験における排出工程Ｓ２０）とを組合せて、錠剤製造を行う実験を比較実験２とし、図９に示す成形工程Ｓ２０（具体的には、図１６のステップ７〜１２と同一の手順）と、図７に示す排出工程Ｓ３０（具体的には、図１５（Ａ）のステップ１３〜１７の手順であって、ステップ１３の際の上杵位置Ｐ１を−１６．７ｍｍとし、その他は同様とする手順）とを組合せて、錠剤製造を行う実験を比較実験３とし、図９に示す成形工程Ｓ２０と、図８に示す排出工程Ｓ３０（具体的には、実施例１の比較実験における排出工程Ｓ２０）とを組合せて、錠剤製造を行う実験を比較実験４とし、これらの比較実験１〜４を行った。
【００８３】
なお、粉体５の生産と、成形する錠剤６の大きさ（径Ｒ１と錠厚ｄ）と、錠剤６の評価と、供給体１２及び排出体１３の動作タイミングと、供給工程Ｓ１０及び後処理工程Ｓ４０とは、上述の実施例１乃至３と同一とする。
【００８４】
図２０は、比較実験１において、離間速度及び移動速度を変化させた場合における錠厚、硬度、摩損度、摩損度試験後の状態観察の結果一覧表である。まず、比較実験２〜４では、離間速度Ｖ１及び移動速度Ｖ２を変化させた何れの場合においても、錠剤６が正常な形状に成形できなかった一方で、比較実験１では、一応、錠剤６の圧縮成形には一応成功した。ただし、これらの比較実験１〜４と、上述の例とを比較すると、総じて、結果は悪いものとなった。
【符号の説明】
【００８５】
１  臼
２  臼孔
２ａ  成形溝
３  上杵（杵，最終固定側杵，最終被押圧側杵，最終圧縮側杵）
４  下杵（杵，最終固定側杵，最終被押圧側杵，最終圧縮側杵）
５  粉体
６  錠剤
７  上臼（分割片，最終固定側分割片，最終被押圧側分割片，最終圧縮側分割片）
８  下臼（分割片，最終固定側分割片，最終被押圧側分割片，最終圧縮側分割片）
９ａ  押圧面
１１ａ  押圧面
Ｖ１，Ｖ３  離間速度
Ｖ２，Ｖ４  移動速度
Ｘ１  上側圧縮成形位置（圧縮成形位置）
Ｘ２  下側圧縮成形位置（圧縮成形位置）
【図１】
0005846116.tif 000002
【図２】
0005846116.tif 000003
【図３】
0005846116.tif 000004
【図４】
0005846116.tif 000005
【図５】
0005846116.tif 000006
【図６】
0005846116.tif 000007
【図７】
0005846116.tif 000008
【図８】
0005846116.tif 000009
【図９】
0005846116.tif 000010
【図１０】
0005846116.tif 000011
【図１１】
0005846116.tif 000012
【図１２】
0005846116.tif 000013
【図１３】
0005846116.tif 000014
【図１４】
0005846116.tif 000015
【図１５】
0005846116.tif 000016
【図１６】
0005846116.tif 000017
【図１７】
0005846116.tif 000018
【図１８】
0005846116.tif 000019
【図１９】
0005846116.tif 000020
【図２０】
0005846116.tif 000021